(57)【要約】【課題】  分岐ユニットを備えたマルチ型空気調和装置において、分岐ユニットの誤配線を抑制できるようにすると共に、分岐ユニットにおける配線処理の作業性を向上させることが可能なマルチ型空気調和装置を提供する。【解決手段】  分岐ユニット１０は、複数の分流管及び複数の電動膨張弁を有する分岐ユニット冷媒回路部と、複数の電動膨張弁の開度を制御する分岐ユニット制御部と、この分岐ユニット制御部と室内機とをつなぐ複数組の電源配線及び信号配線が接続される分岐ユニット室内配線接続部とを備えている。そして、分岐ユニット室内配線接続部に接続される複数組の電源配線及び信号配線は、分岐ユニット１０に設けられた複数の異なる導出孔９０、９０からそれぞれ導出される構成とし、複数の導出孔は、分岐ユニット冷媒回路部における複数の分流管１２ａ〜１２ｃとそれぞれ対応するように各分流管と上下関係に配設されている構成である。【選択図】            図２１ 
2004340568.tif 000002
【特許請求の範囲】
【請求項１】
圧縮機及び熱源側熱交換器を有する１台の室外機から、冷媒配管及び分岐ユニットを介して複数台の室内機の各利用側熱交換器へ冷媒を供給して空気調和を行うようにしたマルチ型空気調和装置において、
前記分岐ユニットは、複数の分流管及び複数の電動膨張弁を有する分岐ユニット冷媒回路部と、前記複数の電動膨張弁の開度を制御する分岐ユニット制御部と、この分岐ユニット制御部と前記室内機とをつなぐ複数組の電源配線及び信号配線が接続される分岐ユニット室内配線接続部とを備え、
前記分岐ユニット室内配線接続部に接続される複数組の電源配線及び信号配線は、前記分岐ユニットに設けられた複数の異なる導出孔からそれぞれ導出される構成とし、
前記複数の導出孔は、前記分岐ユニット冷媒回路部における複数の分流管とそれぞれ対応するように各分流管と上下関係に配設されていることを特徴とする。
【請求項２】
前記複数の導出孔には、前記電源配線及び信号配線との隙間を埋めるスペーサ部材がそれぞれ取り付けられていることを特徴とする請求項１に記載のマルチ型空気調和装置。
【請求項３】
前記スペーサ部材は、交差するスリットが略中央部に設けられていることを特徴とする請求項２に記載のマルチ型空気調和装置。
【発明の詳細な説明】
【技術分野】
【０００１】
本発明は、１台の室外機に複数台の室内機を接続するマルチ型空気調和装置に関し、特に室内機と室外機を繋ぐ冷媒配管に取り付けて冷媒の流れを複数に分岐させる分岐ユニットを備えたマルチ型空気調和装置に関する。
【背景技術】
【０００２】
近年、能力の大きい（冷媒供給能力を十分に備えた）室外機を１台使用し、この1台の室外機から空調しようとする各部屋毎の室内機へ冷媒を分配供給して空気調和を行うマルチ型空気調和装置が知られている。また、最近では、建築技術の向上により、気密性及び断熱性の高い部屋を施工することが可能となり、あまり大きな空調能力を必要としない傾向がある。即ち、室内機に流通させる冷媒量を少なくできる場合が増えている。
【０００３】
そこで、室内機と室外機を繋ぐ冷媒配管の途中に分岐ユニットを接続し、この分岐ユニットによって１台の室外機からの冷媒の流れを複数に分岐して複数台の室内機を用いて空気調和が行えるようにしたマルチ型空気調和装置が知られている。（例えば、特許文献１参照）。
【特許文献１】特開平１０−２３８９００号公報
【発明の開示】
【発明が解決しようとする課題】
【０００４】
しかし、上記した特許文献１に記載のマルチ型空気調和装置では、分岐ユニットにおける室内機側の配線処理が、一つのクリップワイヤーを用いて複数組の電源配線及び信号配線をまとめた後、これらを一つの導出孔から分岐ユニットの外へ引き出している。そのため、施工時に分岐ユニットにおいて誤配線が生じた場合、この分岐ユニットは、本体ケースを取外さなければ誤配線の箇所を見つけ出すことが困難であり、大変面倒な作業を必要としていた。
【０００５】
また、分岐ユニットでは、複数組の電源配線及び信号配線が、一つのクリップワイヤーでまとめられた後、分岐ユニットの一つの導出孔から外へ引き出されるため、導出孔と離れた位置の端子盤との配線処理の施工性が悪化し、また、導出孔と配線との間に隙間が生じ易いため、その隙間から分岐ユニット内に虫や小動物が侵入して、基板の損傷や電気部品の短絡が生じたりするなど、故障の原因になるという問題があった。
【０００６】
本発明は上述の実状に鑑みてなされたものであり、分岐ユニットを備えたマルチ型空気調和装置において、分岐ユニットの誤配線を抑制できるようにすると共に、分岐ユニットにおける配線処理の作業性を向上させることが可能なマルチ型空気調和装置の提供を目的としている。
【課題を解決するための手段】
【０００７】
請求項１に記載の発明は、圧縮機及び熱源側熱交換器を有する１台の室外機から、冷媒配管及び分岐ユニットを介して複数台の室内機の各利用側熱交換器へ冷媒を供給して空気調和を行うようにしたマルチ型空気調和装置において、前記分岐ユニットは、複数の分流管及び複数の電動膨張弁を有する分岐ユニット冷媒回路部と、前記複数の電動膨張弁の開度を制御する分岐ユニット制御部と、この分岐ユニット制御部と前記室内機とをつなぐ複数組の電源配線及び信号配線が接続される分岐ユニット室内配線接続部とを備え、前記分岐ユニット室内配線接続部に接続される複数組の電源配線及び信号配線は、前記分岐ユニットに設けられた複数の異なる導出孔からそれぞれ導出される構成とし、前記複数の導出孔は、前記分岐ユニット冷媒回路部における複数の分流管とそれぞれ対応するように各分流管と上下関係に配設されていることを特徴とする。
【０００８】
請求項２に記載の発明は、請求項１に記載の記載のマルチ型空気調和装置において、前記複数の導出孔には、前記電源配線及び信号配線との隙間を埋めるスペーサ部材がそれぞれ取り付けられていることを特徴とする。
【０００９】
請求項３に記載の発明は、請求項２に記載のマルチ型空気調和装置において、前記スペーサ部材は、交差するスリットが略中央部に設けられていることを特徴とする。
【発明の効果】
【００１０】
本発明のマルチ型空気調和装置においては、各室内機につながれる分岐ユニットの各分流管と、各室内機につながれる複数組の電源配線及び信号配線を導出させるための複数の導出孔とが、互いに対応するように上下関係に配設されているため、分岐ユニットにおける誤配線を防止できると共に、分岐ユニットにおける配線処理の作業性を向上させることができる。
【発明を実施するための最良の形態】
【００１１】
以下、本発明の実施の形態を図面に基づいて説明すると、図１は、一戸建て住宅の１階の部屋と２階の部屋に本発明の一実施形態におけるマルチ型空気調和装置を設置した状態を示す説明図である。
【００１２】
図１において、２階建ての家屋の１階と２階にある複数の部屋Ｒ１、Ｒ２、Ｒ３、Ｒ４、Ｒ５には、１台ずつ室内機１ａ、１ｂ、１ｃ、１ｄ、１ｅが壁面に取り付ける等して設置されている。
【００１３】
各室内機１ａ、１ｂ、１ｃ、１ｄ、１ｅは、内部に利用側熱交換器及び利用側送風機等を搭載しているが、この場合、２階の部屋Ｒ１、Ｒ２、Ｒ３は１階の部屋Ｒ４、Ｒ５よりも小さい部屋となっているので、２階の部屋に設置された室内機１ａ、１ｂ、１ｃは、１階の部屋に設置された室内機１ｄ、１ｅより空調能力が小さい、すなわち流通する冷媒量が少ない機種のものが用いられている。
【００１４】
これに対し、１階の部屋に設置された室内機は、２階の部屋に設置された室内機より空調能力が大きい、すなわち、流通する冷媒量が多い機種のものが用いられている。
【００１５】
３は、屋外に設置した１台（単一）の室外機で、その内部に、圧縮機、熱源側熱交換器、キャピラリーチューブや電動膨張弁などの減圧装置および熱源側送風機等を搭載している。
【００１６】
前記室外機３からは、圧縮機から吐出された冷媒を、ほぼ均等の量に分岐して供給するための複数の例えば、３系統の分配冷媒管５ａ、５ｂ、５ｃが引き出され、それらは建物６の外壁６ｂを垂直に上り、そのうちの２経路である分配冷媒管５ｂ、５ｃは、１階の天井裏７に配管され、そして冷媒管５ｂは、１階の一つの部屋Ｒ４に取り付けた室内機１ｄへ配管接続される。また冷媒管５ｃは１階の別の部屋Ｒ５に取り付けた室内機１ｅへ配管接続される。
【００１７】
一方、先の２系統とほぼ同流量の冷媒が供給される残りの１系統の分配冷媒管５ａは、２階の屋根の高さまで立ち上がった後、水平方向に曲げられて屋根裏８へと配管されている。
【００１８】
そして、屋根裏８で、この系統の分配冷媒管５ａの先には、２階の部屋Ｒ１、Ｒ２、Ｒ３にそれぞれ設置された複数台（３台）の室内機１ａ、１ｂ、１ｃに、冷媒をほぼ均等量の３等分に分流して供給するための分岐ユニット１０が接続されている。
【００１９】
次に、図２に示す冷凍サイクルを参照しながら説明する。前記分岐ユニット１０には、図２に示すように、冷媒を複数路に分流して供給させるための冷媒分流器１１が設けられており、この冷媒分流器１１からは分流管１２ａ、１２ｂ、１２ｃが分岐し、これら分流管１２ａ、１２ｂ、１２ｃのそれぞれの末端口に室内機へつながる室内中継配管１３ａ、１３ｂ、１３ｃが接続されている。室内中継配管１３ａ、１３ｂ、１３ｃは屋根裏８を利用して２階の部屋Ｒ１、Ｒ２、Ｒ３に設置された各室内機１ａ、１ｂ、１ｃにつながるように配管されている。
【００２０】
前記各分流管１２ａ、１２ｂ、１２ｃは、夫々に電動膨張弁１５が配されており、これら電動膨張弁１５を経た冷媒は、夫々その流量が所要の流通量に調整されて室内中継配管１３ａ、１３ｂ、１３ｃに流出し、各室内機１ａ、１ｂ、１ｃへ供給されるようになっている。
【００２１】
図３（ａ）は、本発明の一実施形態を示す分岐ユニット１０を、室外機３からの分岐された分配冷媒管５ａ、５ｂ、５ｃの任意の一つ、例えば分配冷媒管５ａに介挿設置してこの分配冷媒管５ａから供給される冷媒をさらに複数台の室内機１ａ、１ｂ、１ｃに分配させる冷媒回路を形成することで、室外機３と各室内機１ａ、１ｂ、１ｃとを個々に往路と復路の冷媒管で接続する従来の場合より、室外機と冷媒分岐ユニットとの間の冷媒配管長を短くすることができることを示している。
【００２２】
即ち、従来は図３（ｂ）に示すように、１台の室外機３と、５台の室内機１ａ、１ｂ、１ｃ、１ｄ、１ｅとを接続する場合、各部屋Ｒ１、Ｒ２、Ｒ３、Ｒ４、Ｒ５に設置した室内機１ａ、１ｂ、１ｃ、１ｄ、１ｅと室外機３とを個々に、往路と復路の２本ずつの冷媒配管１６ａ〜１６ｅで配管接続していた。
【００２３】
従って、例えば、室外機３と１０ｍの距離がある２台の室内機１ｄ、１ｅとの接続には、合計２×２×１０ｍの４０ｍの配管を必要とし、また、例えば、室外機３と２０ｍの距離がある３台の室内機１ａ、１ｂ、１ｃとの接続には、合計３×２×２０ｍの１２０ｍの配管を必要とする。
【００２４】
また、各室内機１ａ、１ｂ、１ｃ、１ｄ、１ｅと室外機３との間に、合計１０本の多数の配管を接続するので、接続作業が大変であり、また複雑な配管となる。
【００２５】
これに対し、分岐ユニット１０を用いて３台の室内機１ａ、１ｂ、１ｃに冷媒を供給するようにした図３（ａ）に示す本発明の一実施形態のようにすると、この３台の室内機１ａ、１ｂ、１ｃには、室外機３との間を１系統の分配冷媒管５ａで接続した管路構成によって冷媒を供給できる。
【００２６】
この場合に、この分岐ユニット１０は、その３台の室内機１ａ、１ｂ、１ｃにより近く、且つ、略等しい距離の位置に設置するようにすることが望ましい。こうすると、分岐ユニット１０と３台の各室内機１ａ、１ｂ、１ｃとの間に必要とする合計配管長も短くすることができる。
【００２７】
即ち、２台の室内機１ｄ、１ｅとの間の合計配管長は４０ｍと従来と変らないが、例えば、２０ｍの離間距離がある室外機３と室内機１ａ、１ｂ、１ｃとでは、分岐ユニット１０を、室外機３との距離が１５ｍとする位置に設置し、冷媒分岐ユニット１０とは５ｍの距離で３台の室内機とを室内中継配管１３ａ、１３ｂ、１３ｃで配管接続している。
【００２８】
このようにすると、１０ｍの離間距離にある２台の室内機１ｄ、１ｅとの間の配管長は４０ｍと従来と変らないが、３台の室内機１ａ、１ｂ、１ｃとの間で必要とする配管長さは、分岐ユニット１０と室内機１ａ、１ｂ、１ｃとの間で、合計３×２×５ｍの３０ｍとなり、室外機３と分岐ユニット１０との間は、２×１５ｍの３０ｍで済み、合計６０ｍの配管長となる。
【００２９】
従って、分岐ユニット１０を用いると、従来の１２０ｍの半分で施工することができるようになり、配管コストが下がり、また配管作業も軽減され、更に複雑な配管とならず、メンテナンス性なども良好となる。
【００３０】
また、この場合、室外機３から引き出した分配冷媒管５ａは、建物６（図１参照）の外壁６ｂに沿うように上下して垂直管路部５Ｖを成した後に、上端でほぼ水平方向へ直角に屈曲して、水平管路部５Ｈが屋内に配管される。この場合には分岐ユニット１０を屋根裏８で水平的に配設しているが、分岐ユニット１０を配設する場合には、流通する冷媒が重力の影響を受けて圧力損失が高くなる垂直管路部５Ｖを避け、水平管路部５Ｈに配設するようにすることが望ましい。
【００３１】
このようにすると、室外機３と分岐ユニット１０との間の縦方向の冷媒管路（垂直管路部５Ｖ）は、従来の６本の配管より４本少ない２本の管路で済み、その分だけ配管長が短くなることによって、重力の影響を受ける冷媒流量が少なくなって、冷媒循環時の圧力損失を低減することができる。
【００３２】
また、分岐ユニット１０を設置する位置として、室外機３と分岐ユニット１０との距離はできる限り長くし、そして、分岐ユニット１０から各室内機までの距離を短くするようにすると、室外機と複数台の室内機との配管長さも一段と短くでき、合計配管長は一段と短くすることができて配管を節約した効率的な配管作業が行える。
【００３３】
ここで、図２に戻り、上述の分岐ユニット１０を用いたマルチ型空気調和装置の冷凍サイクルについて更に説明を加える。
【００３４】
このマルチ型空気調和装置は、冷媒を圧縮する圧縮機１８と、外気と冷媒との熱交換を行う熱源側熱交換器１９と、減圧装置としての電動膨張弁２１と、空気調和する各部屋に送風する空気と冷媒との熱交換を行う複数台の利用側熱交換器即ち室内機１ａ、１ｂ、１ｃ、１ｄ、１ｅ（以下、室内機を利用側熱交換器として説明する）と、冷房時及び暖房時の冷媒の流通方向を切り換える四方弁２２と、前記電動膨張弁２１を経由する３系統の分配冷媒管５ａ〜５ｃのうちの１系統の分配冷媒管５ａに介設される分岐ユニット１０とを、前記分配冷媒管５ａ〜５ｃ及び前記分岐ユニット１０にて分岐した冷媒が流通する３台の室内機１ａ、１ｂ、１ｃと接続する室内中継配管１３ａ、１３ｂ、１３ｃとで順次接続している。こうして、１台の室外機３に対して、５台の室内機１ａ〜１ｅを接続して５つの部屋を空気調和する冷凍サイクルを構成している。なお、各分配冷媒管５ａ〜５ｃにも電動膨張弁２０ａ〜２０ｃが設けられている。
【００３５】
また、当該冷凍サイクルにはストレーナ７１、マフラー７２ａ、７２ｂ、７２ｃ等も設けられると共に、除霜弁７３とレシーバタンク７４とが介挿されて除霜時に熱源側熱交換器１９及び利用側熱交換器１ａ〜１ｅに高温冷媒ガスを流通させることができるようにする除霜回路７５等を設けた構成となっている。なお、熱源側熱交換器及び利用側熱交換器との配管接続は、サービスバルブ７６ａ、７６ｂにて行われるようになっている。
【００３６】
そして、上記冷凍サイクルで、四方弁２２を切り換えることにより、冷房時においては実線矢印の方向に冷媒が循環し、暖房時においては破線矢印の方向に冷媒が循環する。なお、中央に丸印を付した矢印は、除霜時の冷媒の流れを示す。
【００３７】
ここで、前記分岐ユニット１０には、３台の利用側熱交換器１ａ、１ｂ、１ｃに冷媒を分流させるように３分岐させる分流器１１と、この３分岐した分流管路１２ａ、１２ｂ、１２ｃに流れる冷媒の流量を調整してそれぞれの利用側熱交換器１ａ、１ｂ、１ｃに流す電動膨張弁１５とが設けられている。
【００３８】
次にこの分岐ユニット１０の構造について図４〜図９を参照しながら説明する。
【００３９】
分岐ユニット１０では、分岐系統５ａとの接続用となる細径と太径の２本の分岐ユニット接続管３０と、液冷媒が流通する前記細径の分岐ユニット接続管３０に繋がる分流器１１と、この分流器１１から３つに分岐して本体内に蛇行するように設けられ、外部の各利用側熱交換器１ａ、１ｂ、１ｃと接続されて冷媒を流通させるように設けた同じく細径と太径との２本ずつの配管からなる３系統の分流管１２ａ、１２ｂ、１２ｃと、この分流管にそれぞれ設けられた冷媒流通量を制御する電動膨張弁１５とを備えて構成された分岐ユニット冷媒回路部３１が本体ケース３６内に収容されている。
【００４０】
また、分流管１２ａ、１２ｂ、１２ｃにおける各利用側熱交換器１ａ、１ｂ、１ｃとの接続をするための細径と太径の各接続配管のうち、細径の接続配管の根元部分には、利用側熱交換器１ａ、１ｂ、１ｃに流入、流出する冷媒の温度を測定しその検出値から適切な冷媒流量を流すように前記各電動膨張弁１５を制御するためのサーミスタなどの温度センサー３３が装着されている（図９参照）。なお、電動膨張弁１５の液管部１５ｄは、図６に示すように、ラバーなどの遮音部材４３を巻いて液冷媒の流通に伴う不快な雑音を低減させている。
【００４１】
また、図７に示すように、アース線３４がアース端子金具３４Ｋに接続されると共に、本体の一端側から突出する前記２本の分岐キット接続管３０と本体の他端側に突出する各分流管１２ａ、１２ｂ、１２ｃには、断熱材等により形成された被覆部材３５ａ、３５ｂが被せられて保護されている。
【００４２】
また、図５に示すように、分岐ユニット冷媒回路部３１全体を、振動吸収用のゴム部材７９で被覆して保護している。
【００４３】
さて、図８に示すように、上述した部品体からなる分岐ユニット１０の分岐ユニット冷媒回路部３１は、上下、前後、左右の計６枚の板金部材を組んで、ビス止めして直方体形状に形成した本体ケース３６内に収容固定して、ユニット構造の分岐ユニット１０が形成される。
【００４４】
そして、この分岐ユニット１０は、屋根裏などに設置されるが、冷媒が流通する分岐ユニット冷媒回路部３１を内部に有する構造のため、金属製の本体ケース３６に生じる結露で、ドレン水が屋内に水漏れすることのないように、分岐ユニット冷媒回路部３１を収納した本体ケース３６内の空間を全て断熱材で埋めるような構造とし、外部に結露を生じさせない工夫を施した分岐ユニット１０を形成するようにしている。
【００４５】
また、図８、図１０及び図１１に示すように板金製の本体ケース３６は、互いにビスで組立て結合固定される上板４０と底板４１、前後に立設する側板６２及び左右の側板６３とから構成されている。なお、前記左右の側板６３は、上下に２分割された上下一対の分割側板６３a、６３ｂにて構成されており、これら上下一対の分割側板６３ａ、６３ｂは、それらを合わせることにより、分岐キット接続管３０や分流管１２ａ〜１２ｃを通す挿通孔４２Ａが形成される円弧状の切欠き４２を有している。３７はその固定用ビスを示す。
【００４６】
そして、図１２及び上板４０を外した状態の図８に示すように、本体ケース３６内には、分岐ユニット冷媒回路部３１が収納され、この分岐ユニット冷媒回路部３１を収納後に本体ケース３６に上板４０を取り付けて、その上面開口部を塞ぐ。この上板４０で本体ケース３６の上面開口を塞ぐ時に、その一辺に設けた切欠き部４４より、アース線３４を通し外へ引き出させる。（図１３参照）
また、図１４に示すように、本体ケース３６内に分岐ユニット冷媒回路部３１にて占有していない隙間を埋めるため、ウレタン５０により分岐ユニット冷媒回路部３１はモールドされる。
【００４７】
また、図１０、図１５及び図１６に示すように、マイコン６０Ｍや種々の回路部品６０を多数取り付けた電装基板４５は、本体ケース３６の一側面である取付け面４６を利用して配設される。
【００４８】
この際、電装基板４５と本体ケース３６の取付け面４６との間には、絶縁シート４７が設けられ、また、電装基板４５は、それの周縁部に設けたプラスティック製の取付け脚８０などを使って、前記取付け面４６から浮かせた状態で装着されており、前記電装基板４５が、金属製の本体ケース３６と接触して短絡事故などを引き起こして制御が不能とならないようにしている。
【００４９】
また、前記本体ケース３６の取付け面４６には、電装基板４５の他に、トランス４９や、端子盤５１等の電気部品、配線を抑えるためのクリップワイヤー５２などが配設されて、分岐ユニット制御部６１が形成される。
【００５０】
次に、図１８には、室内機からの電源配線及び信号配線を接続する分岐ユニット室内配線接続部が示されている。
【００５１】
前記室内機１ａ〜１ｃからの電源配線及び信号配線は、夫々２本ずつ合計４本で構成された１本のキャブタイヤケーブル７０にて一体化されて構成され、この電源配線及び信号配線は、分岐ユニット室内配線接続部としての横並びに３箇所の接続箇所が設けられた端子盤５１に、例えば、ビスにて接続され、そして、キャブタイヤケーブル７０は、クリップワイヤー５２にて固定される。
【００５２】
また、分岐ユニット室外配線接続部は、前記分岐ユニット室内配線接続部と同様な方法により配線接続されるため、ここでは説明を省略する。
【００５３】
また、図１７に示すように、電装基板４５及びその他の電気部品４９、５１、５２を保護するように、板金製の電装カバー５４が電装基板４５に被せられて本体ケース３６にビス止めされている。この電装カバー５４は、回路部を防塵するとともに、虫やねずみなどの侵入による被覆線の損傷を防止している。
【００５４】
また、前記電装カバー５４の表面には、冷媒分岐回路の説明板５５などが貼付されている。９０は前記電装カバー５４の一側面に設けられた３個の配線導出孔であり、これら各配線導出孔９０は、互いに所定の間隔を置いて横列に設けられ、前記分岐ユニット室内配線接続部に接続される複数組の電源配線及び信号配線は、夫々異なる配線導出孔９０から外へ導出される。また、前記３個の配線導出孔９０は、前記各分流管１２ａ、１２ｂ、１２ｃと対応するように、各分流管１２ａ、１２ｂ、１２ｃの上方に位置させて、各各分流管１２ａ、１２ｂ、１２ｃと上下関係に配設されている。
【００５５】
図１９は、電装カバー５４の配線導出孔９０にスペーサ６２を装着した状態を示し、図２０は、前記配線導出孔９０に取り付けられるスペーサ６２を示している。
【００５６】
前記スペーサ６２は、前記配線導出孔９０に取り付けるための溝状の嵌合部６４と、Ｙ字状に交差するスリットＳが中央部に設けられたシール部６６とが、例えば、ゴム材料で一体に成形されている。
【００５７】
ここで、前記キャブタイヤケーブル７０は、スペーサ６２のシール部６６のスリットＳを通して配線されるため、このキャブタイヤケーブル７０の周囲には、シール部６６の弾性によって隙間が発生しないようにでき、配線導出孔９０を介して、虫や小動物が内部に侵入するのを防ぐことができる。（図２１参照）
そして、この分岐ユニット１０は、図１１及び図１６に示すように、一側板面に取付け用の固定孔５８や引掛け孔５９を備えるため、分岐ユニット１０につながれる複数台の室内機とできるだけ等距離となるような箇所を屋根裏で選定して、建物の桟や梁などの適切な位置に、固定孔５８や引掛け孔５９を利用して、例えば、ボルト固定すればよい。
【００５８】
また、分岐ユニット１０は、内部に分岐ユニット冷媒回路部３１の構成部品を収納した本体ケース３６内の空間を、ウレタン発泡断熱材５０で埋めて断熱構造としているので、家屋の屋根裏などに設置しても、本体ケース３６内での結露の発生が無く、そのため、屋根裏にドレン水の排水路を形成したりする措置が不要になり、施工性が大幅に向上する。
【００５９】
また、図２１に示すように、前記配線導出孔９０を、各分流管１２ａ〜１２ｃと対応させて、系統ごとに、上下関係となるように対応配置したことから、分岐ユニット１０における誤配線を防止できるだけでなく、仮に誤配線された場合には、電装カバー５４を外すことなく、その誤配線を容易に見つけ出すことができる。
【００６０】
更に、各系統配線に前記クリップワイヤー５２を一つずつ割り当てることにより、従来、複数組の配線処理を１個のクリップワイヤーで行っていた方法に比べ、端子盤５１とクリッブワイヤー５２との位置関係を適切とすることができ、施工性の向上を図ることができる。
【００６１】
なお、上記一実施形態では、分岐ユニット１０を、建物の２階の屋根裏８に設置した場合ついて説明したが、この構成に限らずに、分岐ユニット１０は、１階の天井裏に設置してもよい。
【００６２】
また、前記各配線導出孔９０にゴム材料で成形されたスペーサ６２を装着する構成になっているが、そのスペーサ６２は、塩化ビニール製であってもよい。
【００６３】
また、前記配線導出孔９０にスペーサ６２を装着せずに、前記配線導出孔６０の形状を電気配線及び信号配線ケーブルを一体化したキャブタイヤケーブル７０の断面形状と同形状にしてもよい。
【図面の簡単な説明】
【００６４】
【図１】本発明における屋内の空気調和を行うマルチ型空気調和装置の説明図である。
【図２】本発明におけるマルチ型空気調和装置の冷凍サイクル図である。
【図３】本発明におけるマルチ型空気調和装置の優位性を従来のマルチ型空気調和装置と比較した説明図であり、（ａ）は本発明の配管系統図、（ｂ）は従来の配管系統図である。
【図４】本発明におけるマルチ型空気調和装置に用いる分岐ユニットの主体部である分岐ユニット冷媒回路部の正面図である。
【図５】本発明におけるマルチ型空気調和装置に用いる分岐ユニットの主体部である分岐ユニット冷媒回路部の上面図である。
【図６】本発明におけるマルチ型空気調和装置に用いる分岐ユニットの主体部である分岐ユニット冷媒回路部の一部構成部品で電動膨張弁の正面図である。
【図７】本発明におけるマルチ型空気調和装置に用いる分岐ユニットの本体ケースに組み入れる前の分岐ユニット冷媒回路部の正面図である。
【図８】本発明におけるマルチ型空気調和装置に用いる分岐ユニットの主体部である分岐ユニット冷媒回路部が本体ケースに収納され、上板で蓋をされ、内部に発泡断熱材が充填される前の様相を示した構造図である。
【図９】電動膨張弁制御のための冷媒温度検出用温度センサーを冷媒管に取り付ける様相を示した説明図である。
【図１０】電装基板を装着した分岐ユニットの側面図である。
【図１１】分岐ユニットの外形を示す、その正面図、平面図及び右側面図である。
【図１２】分岐ユニットの分岐ユニット冷媒回路部を板金製本体ケースに収納する説明図である。
【図１３】分岐ユニットの分岐ユニット冷媒回路部を板金製本体ケースに収納した状態の説明図である。
【図１４】分岐ユニットの分岐ユニット冷媒回路部を板金製本体ケースに収納した後に、ウレタン発泡を行った状態を示す説明図である。
【図１５】分岐ユニットの分岐ユニット制御部における電装基板取付け前の本体ケース取付け面の様相を示す説明図である。
【図１６】ウレタンの発泡後に分岐ユニット制御部を装着した分岐ユニットの外観斜視図である。
【図１７】分岐ユニット制御部を保護する電装カバーの平面図及び左右側面図である。
【図１８】分岐ユニットの室内配線接続部にキャブタイヤケーブルを接続した状態を示す斜視図である。
【図１９】電装カバーの配線導出孔にスペーサを装着した状態を示す説明図である。
【図２０】配線導出孔に装着されるスペーサの単体図である。
【図２１】分岐ユニットにキャブタイヤケーブルを接続した状態の右側面図である。
【符号の説明】
【００６５】
１ａ〜１ｅ  室内機
３  室外機
５ａ〜５ｅ  分配冷媒管
１２ａ〜１２ｃ  分流管
１３ａ〜１３ｃ  室内中継配管
１０  分岐ユニット
１１  分流器
１５  電動膨張弁
３１  分岐ユニット冷媒回路部
３６  本体ケース
５１  端子盤（分岐ユニット室内配線接続部）
６１  分岐ユニット制御部
９０  配線導出孔（導出孔）
【図１】
2004340568.tif 000003
【図２】
2004340568.tif 000004
【図３】
2004340568.tif 000005
【図４】
2004340568.tif 000006
【図５】
2004340568.tif 000007
【図６】
2004340568.tif 000008
【図７】
2004340568.tif 000009
【図８】
2004340568.tif 000010
【図９】
2004340568.tif 000011
【図１０】
2004340568.tif 000012
【図１１】
2004340568.tif 000013
【図１２】
2004340568.tif 000014
【図１３】
2004340568.tif 000015
【図１４】
2004340568.tif 000016
【図１５】
2004340568.tif 000017
【図１６】
2004340568.tif 000018
【図１７】
2004340568.tif 000019
【図１８】
2004340568.tif 000020
【図１９】
2004340568.tif 000021
【図２０】
2004340568.tif 000022
【図２１】
2004340568.tif 000023